(57)【要約】【課題】被支持体の高さ調整をして支持することができる支持脚を提供する。【解決手段】表示パネル４を保持するフロントフレーム４ａに取り付けられる支柱と、支柱を支持するキャスタ１４ｃ、１４ｄ付きの支持台１４とを備える支持脚であって、支柱は、鉛直方向に高さ粗調整のための調整孔１１ａ・・１１ｄが形成された上支柱１０と、上支柱１０の下端部に一端部が固定された柱状の荷重検知体１６と、荷重検知体１６の他端部に鉛直方向に連結されており、下端部に螺子孔が形成された下支柱１２とからなり、支持台１４に下支柱１２の螺子孔に螺合する高さ微調整のための螺子棒１４ｂが形成されており、荷重検知体１６の検知した荷重を示すスケール１２ｂが、下支柱１２に設けられている。【選択図】図４
2009300974.tif 000002
【特許請求の範囲】
【請求項１】
被支持体を支持する着脱可能な支持脚であって、
前記被支持体に着脱可能な取着体と、
該取着体に設けられており、前記被支持体からの該取着体の突出量で高さを調整する高さ調整手段と
を有することを特徴とする支持脚。
【請求項２】
前記被支持体は、扉状をなし、該被支持体の一方を枢支されており、
前記取着体は前記被支持体の他方に着脱可能になっていることを特徴とする請求項１に記載の支持脚。
【請求項３】
前記高さ調整手段は高さの粗調整部及び微調整部を有することを特徴とする請求項１又は２に記載の支持脚。
【請求項４】
前記取着体は柱状をなし、
前記粗調整部は、前記取着体を貫通した横孔であって、前記被支持体における該取着体の取り付け位置で前記突出量を調整するための調整孔を有することを特徴とする請求項１から３までのいずれか一つに記載の支持脚。
【請求項５】
前記調整孔は縦方向に列設されていることを特徴とする請求項４に記載の支持脚。
【請求項６】
前記調整孔は縦方向に長い長孔であることを特徴とする請求項４に記載の支持脚。
【請求項７】
前記微調整部は前記取着体の下端部に設けられた螺合部及び被螺合部からなっていることを特徴とする請求項３から６までのいずれか一つに記載の支持脚。
【請求項８】
前記取着体の下端面にキャスタを有することを特徴とする請求項１から７までのいずれか一つに記載の支持脚。
【請求項９】
前記取着体は荷重検知体を備えていることを特徴とする請求項１から８までのいずれか一つに記載の支持脚。
【請求項１０】
前記取着体は、
上支柱及び下支柱と、
該上支柱及び下支柱を連結しており、前記被支持体の荷重を検知する荷重検知体と、
該荷重検知体が検知した荷重を表示する表示部と
を有し、
該表示部は前記上支柱又は下支柱に設けられていることを特徴とする請求項１から３までのいずれか一つに記載の支持脚。
【請求項１１】
前記被支持体は表示パネルを保持するフレームであって、
前記請求項１から１０までのいずれか一つに記載の支持脚を前記フレームの内側に収納可能にしていることを特徴とする表示装置。
【発明の詳細な説明】
【技術分野】
【０００１】
本発明は、高さ調整可能な支持脚及び該支持脚の収納ができる表示装置に関する。
【背景技術】
【０００２】
従来、液晶を用いて表示する液晶パネルを額縁状のフレームに保持した工作機用の制御装置及び表示装置等が利用されている（例えば特許文献１参照）。特許文献１に示す制御装置の場合、液晶パネルを保持するフレームは、一側部側がヒンジでハウジングに枢支されており、メンテナンスのため扉状に開閉可能になっている。
【特許文献１】特開２００２−７２９１７号公報
【発明の開示】
【発明が解決しようとする課題】
【０００３】
液晶テレビジョンなどの表示装置の場合、液晶パネルの背部側に設けられているランプユニットのランプ交換を容易にするため、液晶パネルは特許文献１に示すようなヒンジで一側部側を枢支した開閉可能な扉状にすることが検討されている。超大型の液晶パネルの場合、サイズが大きく重いため、扉状の液晶パネルを開閉する場合には、液晶パネルを保持するフレームに支持脚を取り付けることが検討されている。
【０００４】
しかしながら、表示装置を設置した床面と表示装置のフレームに取り付けた支持脚を支持する床面とに段差がある場合又は表示装置が壁掛けされている場合等には、支持脚が床面に届かず、扉状の液晶パネルが片持ち状態になり得る。このような場合、液晶パネルの自重により、ヒンジ及び液晶パネルを保持するフレームに歪みが発生する恐れがあり、液晶パネルの片持ち状態は、液晶パネルを破損する原因となり得る。
【０００５】
本発明は、このような事情に鑑みてなされたものであって、その目的とするところは、支持脚に高さ調整手段を備えることにより、被支持体の高さ調整をして支持することができる支持脚及び該支持脚の収納ができる表示装置を提供することにある。
【課題を解決するための手段】
【０００６】
本発明の支持脚は、被支持体を支持する着脱可能な支持脚であって、前記被支持体に着脱可能な取着体と、該取着体に設けられており、前記被支持体からの該取着体の突出量で高さを調整する高さ調整手段とを有することを特徴とする。
【０００７】
このような構成の本発明の支持脚では、被支持体の床面からの高さに応じて、高さ調整手段により被支持体からの取着体の突出量で高さ調整をして支持脚の取着体を取り付ける。
支持脚は床面からの高さに応じて被支持体を支持する。
【０００８】
本発明の支持脚は、前記被支持体は、扉状をなし、該被支持体の一方を枢支されており、前記取着体は前記被支持体の他方に着脱可能になっていることを特徴とする。
【０００９】
このような構成の本発明の支持脚では、一方を枢支された扉状の被支持体の他方に、床面からの高さに応じて、高さ調整手段により被支持体からの取着体の突出量で高さ調整をして支持脚の取着体を取り付ける。
支持脚は床面からの高さに応じて被支持体を支持する。
【００１０】
本発明の支持脚は、前記高さ調整手段は高さの粗調整部及び微調整部を有していることを特徴とする。
【００１１】
このような構成の本発明の支持脚では、被支持体の床面からの高さに応じて、高さ調整手段の粗調整部により被支持体から取着体が突出する突出量の粗調整をする。粗調整して被支持体に取着体を取り付けたとき、支持脚は被支持体を支持し、微調整部により被支持体の高さの微調整をする。
【００１２】
本発明の支持脚は、前記取着体は柱状をなし、前記粗調整部は、前記取着体を貫通した横孔であって、前記被支持体における該取着体の取り付け位置で前記突出量を調整するための調整孔を有することを特徴とする。
【００１３】
このような構成の本発明の支持脚では、被支持体の床面からの高さに応じて、取着体の取り付け位置にて被支持体から突出する突出量を調整孔の位置で調整する。取着体を被支持体に取り付けたとき、支持脚は床面からの高さに応じて被支持体を支持する。
【００１４】
本発明の支持脚は、前記調整孔は縦方向に列設されていることを特徴とする。
【００１５】
このような構成の本発明の支持脚では、被支持体の床面からの高さに応じて、被支持体から取着体が突出する突出量を縦方向の適宜の調整孔の位置で調整する。被支持体に取着体を取り付けたとき、支持脚は床面からの高さに応じて被支持体を支持する。
【００１６】
本発明の支持脚は、前記調整孔は縦方向に長い長孔であることを特徴とする。
【００１７】
このような構成の本発明の支持脚では、被支持体の床面からの高さに応じて、被支持体から取着体が突出する突出量を縦方向に長い長孔の適宜の位置で調整する。被支持体に取着体を取り付けたとき、支持脚は床面からの高さに応じて被支持体を支持する。
【００１８】
本発明の支持脚は、前記微調整部は前記取着体の下端部に設けられた螺合部及び被螺合部からなっていることを特徴とする。
【００１９】
このような構成の本発明の支持脚では、粗調整部による高さの粗調整後、微調整部により被支持体の高さの微調整をする場合、取着体の螺合部又は被螺合部を回動させたとき、螺合部及び被螺合部が螺合していき、支持脚は微調整部により被支持体の高さの微調整をする。
【００２０】
本発明の支持脚は、前記取着体の下端面にキャスタを有することを特徴とする。
【００２１】
このような構成の本発明の支持脚では、被支持体の床面からの高さに応じて、被支持体から取着体が突出する突出量を粗調整部で粗調整する。被支持体に取着体を取り付けたとき、支持脚は床面からの高さに応じて被支持体を支持し、被支持体は取着体のキャスタで移動可能になる。
微調整部により被支持体の高さの微調整をする場合、被支持体を取着体のキャスタで支持した状態で、取着体の螺合部又は被螺合部を回動したとき、キャスタが床面を方向自在に回動して螺合部及び被螺合部が螺合していき、支持脚は微調整部により被支持体の高さの微調整をする。
【００２２】
本発明の支持脚は、前記取着体は荷重検知体を備えていることを特徴とする。
【００２３】
このような構成の本発明の支持脚では、被支持体の高さ調整をする場合、荷重を検知しながら高さ調整が可能になる。
【００２４】
本発明の支持脚は、前記取着体は、上支柱及び下支柱と、該上支柱及び下支柱を連結しており、前記被支持体の荷重を検知する荷重検知体と、該荷重検知体が検知した荷重を表示する表示部とを有し、該表示部は前記上支柱又は下支柱に設けられていることを特徴とする。
【００２５】
このような構成の本発明の支持脚では、被支持体の床面からの高さに応じて、支持脚の取着体を被支持体に取り付けて支持する。支持脚が被支持体を支持して微調整部により微調整したとき、被支持体の荷重が上支柱、荷重検知体及び下支柱にかかる。
荷重がかかったとき、荷重検知体が荷重を検知し、荷重を表示部に表示する。
例えば予め適正荷重を表示部に表示している場合、適正荷重になるまで微調整が可能になる。
【００２６】
本発明の表示装置は、前記被支持体は表示パネルを保持するフレームであって、前述の支持脚を前記フレームの内側に収納可能にしていることを特徴とする。
【００２７】
このような構成の本発明の表示装置では、支持脚を使用しない場合、表示パネルを保持するフレームの内側に支持脚を収納する。
支持脚を使用する場合、フレームから支持脚の一部を取り出したとき、支持脚では高さ調整手段により床面からの高さに応じて取着体をフレームに取り付けて高さ調整をする。
【発明の効果】
【００２８】
本発明の支持脚は、支持脚に高さ調整手段を備えているので、被支持体の高さ調整をして支持することができるという効果を有する。
したがって、本発明の支持脚は、例えば一方を枢支された被支持体の他方を支持して片持ち状態にすることがなく、被支持体を枢支するヒンジ及び被支持体自体に歪みを生じないようにすることができる。
また本発明の表示装置は、表示パネルを保持するフレームの内側に支持脚を収納可能にしているので、支持脚をフレームから取り出し、フレームに取り付けて高さ調整して支持することができ、また支持脚を取り外してフレーム内に収納することができるという効果を有する。
【発明を実施するための最良の形態】
【００２９】
以下、図面に基づき、本発明による支持脚の好適な実施の形態を表示装置の表示パネルを保持するフロントフレームに取り付ける例を挙げて説明する。
【００３０】
（実施の形態１）
図１は実施の形態１に係る支持脚を表示装置の側部に取り付けた状態を示す正面図、図２は支持脚を表示装置の側部に取り付けた状態を示す側面図、図３は表示装置の扉状の表示パネルを開けた状態を示す斜視図である。
表示装置２は、横長の扁平な直方体状の表示パネル４及びランプユニット６と、これらをそれぞれ保持するフロントフレーム４ａ及びリアフレーム６ａとを有しており、リアフレーム６ａはスタンド２ａで支持されている。フロントフレーム４ａの一方の側部は表示装置のリアフレーム６ａにヒンジ４ｂ、４ｂで枢支されており、表示パネル４は開閉可能な扉状になっている。
実施の形態１に係る支持脚は、表示装置２のランプ６ｂ交換などのメンテナンスのため扉状の表示パネル４を開ける場合に、表示パネル４を保持する矩形枠状のフロントフレーム４ａの他方の側部４ｃに外付けして使用される。
【００３１】
支持脚は、角柱状の支柱８ａと、支柱８ａを固定支持する直方体状の支持台８ｂとを備えており、支持台８ｂの下端面には二個のキャスタ８ｃ、８ｄが回動自在に取り付けられている。即ち、支持脚は、支柱８ａ、支持台８ｂ及びキャスタ８ｃ、８ｄを備え、フロントフレーム４ａに取り付けられる取着体をなしている。
【００３２】
フロントフレーム４ａの側部４ｃの下端部側に孔４ｄが形成されており、孔４ｄの内側の周縁にナット９が固着されている。
支柱８ａには、正面側から背面側に貫通した横孔の四個の調整孔３ａ、３ｂ、３ｃ、３ｄが縦方向に列設されている。支持脚の高さ調整はフロントフレーム４ａの側部４ｃから下側に突出する支持脚の突出量で調整する。即ち、床面からの高さに応じた縦方向の調整孔３ａ・・３ｄの位置で支柱８ａを側部４ｃに取り付けることにより、突出量が調整できるようになっている。
調整孔３ａ・・３ｄからフロントフレーム４ａの孔４ｄにボルト５を挿通してナット９に螺合させることにより、支持脚はフロントフレーム４ａの側部４ｃに取り付けられる。
【００３３】
このような構成の実施の形態１に係る支持脚では、先ず、表示装置が設置されている状態の場合、床面からの高さに応じて、支柱８ａの適宜の調整孔３ａ・・３ｄから、例えば調整孔３ｂからボルト５を挿通する。
次に調整孔３ｂから突き出たボルト５をフロントフレーム４ａの孔４ｄに挿通した後、ボルト５がナット９に螺合したとき、支持脚がフロントフレーム４ａの側部４ｃに取り付けられる。
次いで、扉状の表示パネル４を開けていくとき、支持脚は表示パネル４を保持するフロントフレーム４ａの側部４ｃを支持しながら移動する。
そして、扉状の表示パネル４を開けたとき、例えば表示装置２のランプユニット６からランプ６ｂを取り出して交換する。
ランプ６ｂの交換後、扉状の表示パネル４を閉じ、支持脚を取り外す。
【００３４】
このように実施の形態１に係る支持脚は、メンテナンスのために扉状の表示パネル４を開閉する場合、床面からの高さに応じて、表示パネル４を保持するフロントフレーム４ａの側部４ｃを支持することができ、ヒンジ４ｂ及びフロントフレーム４ａに歪みが生じない。
【００３５】
（実施の形態２）
次に実施の形態２について説明する。
図４は実施の形態２に係る支持脚を表示パネルのフロントフレームの側部に取り付けた状態を示す斜視図、図５は支持脚の支持台を示す斜視図、図６は支持脚の支柱を示す斜視図、図７は図６のＶＩＩ−ＶＩＩ断面図である。
実施の形態２に係る支持脚は高さの粗調整部及び微調整部からなる高さ調整手段を備えている。実施の形態２では、リアフレーム６ａに一方を枢支されたフロントフレーム４ａの他方の高さの粗調整をした支持脚を、フロントフレーム４ａの側部４ｃに係止させる係止体として、ボルト１５が使用されている。ボルト１５はフロントフレーム４ａ内側のナット９に螺合するようになっている。
【００３６】
実施の形態２に係る支持脚は、縦長の角筒状の上支柱１０及び下支柱１２と、下支柱１２を上面で支持する横長の直方体状の支持台１４とを備える。上支柱１０及び下支柱１２は、柱状の弾性変形可能な荷重検知体１６で鉛直方向に連結されている。即ち、上支柱１０の下端部が荷重検知体１６の一端部に固定されており、荷重検知体１６の他端部が下支柱１２の上端部に固定されている。
支持台１４の下端面には、二個のキャスタ１４ｃ、１４ｄがバランスよく回動自在に取り付けられている。
【００３７】
支持脚の粗調整部は、上支柱１０の正面の横方向の略中央部に、鉛直方向に略等間隔で正面側から背面側まで貫通して離隔して列設された４個の調整孔１１ａ、１１ｂ、１１ｃ、１１ｄと、高さ調整のために選択した調整孔１１ａ・・１１ｄのいずれか一つに挿通してフロントフレーム４ａのナット９に螺合するボルト１５とを備える。即ち、支持脚の高さの粗調整部は、適宜の調整孔１１ａ・・１１ｄからボルト１５がフロントフレーム４ａの内側に固着されたナット９に螺合することにより、フロントフレーム４ａから下側に突出する上支柱１０の突出量でフロントフレーム４ａの他方の高さの粗調整ができるようになっている。
【００３８】
上支柱１０の下端部の周縁と下支柱１２の上端部の周縁とは、荷重検知体１６が上下方向に弾性変形可能なように、間隙Ａを介して対向している。上支柱１０及び下支柱１２の横断面は縦横同寸法であり、上支柱１０の鉛直方向の長さは下支柱１２の鉛直方向の長さより３倍から５倍程度の長尺にしている。
【００３９】
上支柱１０の正面の下縁の略中央部に、縦長で矢印状の突起１０ａが下向きに形成されている。下支柱１２の正面の上縁の略中央部に縦長矩形状の切欠部１２ａが形成されており、突起１０ａが切欠部１２ａに遊嵌するようになっている。
切欠部１２ａの縦方向の一方の側縁にスケール１２ｂが設けられている。支持脚を表示パネル４のフロントフレーム４ａの側部に取り付け、支持脚の上支柱１０に表示パネル４の荷重がかかった場合、上支柱１０を支持する荷重検知体１６の弾性変形により突起１０ａが下方に移動する。突起１０ａが移動したとき、突起１０ａの先端が示すスケール１２ｂの数値が、支持脚にかかっている荷重を示すようになっている。
荷重検知体１６及びスケール１２ｂはフォースゲージ１８を構成している。
【００４０】
表示パネル４を保持するフロントフレーム４ａの一方がヒンジ４ｂ、４ｂで枢支されており、他方が支持脚で支持されている場合、表示パネル４による荷重を均等化してバランスよく支持するための適正荷重があり、この適正荷重が予めスケール１２ｂにマーキングされている。
【００４１】
上支柱１０及び下支柱１２は荷重検知体１６で連結されているが、連結して配設可能であり、荷重を計測する荷重検知体１６であれば、荷重計測の原理は問わない。
例えば、荷重検知体１６としては、円筒状の押しばね又は円柱状の圧電素子を利用することができる。圧電素子を利用する場合には、圧電素子を上支柱１０及び下支柱１２で挟持して、荷重に対応する電圧を上支柱１０又は下支柱１２に設けた表示部に、デジタル表示するようにしてもよい。
なお、押しばねの場合でも、荷重のデジタル表示は可能であり、スケール１２ｂに代えて表示部で表示することができる。
【００４２】
支持台１４の上面の長手方向の略中央部に、四角柱状の台１４ａが形成されている。下支柱１２の下端部に被螺合部の螺子孔１２ｃが形成されており、台１４ａの略中央部に、下支柱１２の螺子孔１２ｃと螺合する螺合部をなす螺子棒１４ｂが形成されている。
下支柱１２の螺子孔１２ｃと支持台１４の螺子棒１４ｂとは、支持脚の高さの微調整部を構成しており、螺子孔１２ｃ及び螺子棒１４ｂの螺合により、支持脚の高さの微調整ができるようになっている。
なお、下支柱１２の下端部に螺合部を形成し、台１４ａに被螺合部を形成するようにしてもよい。
【００４３】
台１４ａの螺子棒１４ｂが下支柱１２の螺子孔１２ｃの最奥部まで螺合したとき、台１４ａは角筒状の下支柱１２の下端部に遊嵌するようになっている。
下支柱１２の上端部側には、荷重検知体１６の下端部側を固定する凹状をした固定部１３が形成されている。
下支柱１２の下端部側の螺子孔１２ｃと、上端部側の固定部１３とは、隔壁で仕切られており、隔壁が固定部１３の底部１３ａになっている。
【００４４】
上支柱１０の下端部側には、上向きに凹んだ固定部１７が形成されており、荷重検知体１６の上端部側が固定されている。上支柱１０の上端部側は密閉されているが、開放されていてもよい。
【００４５】
ところで、荷重検知体１６の下端部及び上端部はそれぞれ固定部１３及び固定部１７に固定されていればよく、その固定方法は問わない。例えば、荷重検知体１６の下端部及び上端部が、それぞれ凹状の固定部１３及び固定部１７に着脱可能に嵌着又は挟持されていてもよく、また固定部１３、１７に接着するようにしても良い。
【００４６】
このような構成の実施の形態２に係る支持脚では、先ず、表示装置が設置されている状態の場合、表示パネル４の床面からの高さに応じて、上支柱１０の、例えば調整孔１１ｃからボルト１５を挿通した後、フロントフレーム４ａの内側のナット９にボルト１５が螺合する。ボルト１５がナット９に螺合したとき、支持脚がフロントフレーム４ａの側部４ｃに取り付けられる（高さの粗調整）。
【００４７】
次に、支持台１４を回したとき、下支柱１２の螺子孔１２ｃと支持台１４の螺子棒１４ｂとが、支持台１４のキャスタ１４ｃ、１４ｄが床面に当接するまで、螺合していく。
次いで、支持台１４のキャスタ１４ｃ、１４ｄが床面に当接した場合、表示装置の扉状の表示パネル４を少し開いたとき、支持脚に表示パネル４による荷重がかかる。支持脚に荷重がかかったとき、表示パネル４による荷重は上支柱１０を介して荷重検知体１６にかかり、荷重検知体１６が弾性変形し、間隙Ａが狭まり、上支柱１０の突起１０ａが下側に移動する。突起１０ａの先端が示すスケール１２ｂの数値が、表示パネル４による荷重を示す。
【００４８】
支持脚が適正荷重で表示パネル４を支持するように調整するため、例えば上支柱１０を高くする方向に支持台１４を回して、下支柱１２の螺子孔１２ｃと支持台１４の螺子棒１４ｂとの螺合を緩めていき、上支柱１０の突起１０ａが、マーキングされた適正荷重を示す位置まで移動する（高さの微調整）。
【００４９】
そして、突起１０ａの先端が適正荷重を示したとき、支持台１４の回転を止め、扉状の表示パネル４を適当な位置まで開け、例えばランプユニット６のランプ６ｂを交換する。
ランプ６ｂ交換後、扉状の表示パネル４を閉めて、支持脚を取り外す。
【００５０】
このように実施の形態２に係る支持脚は、支持脚に高さ調整手段を備えているので、メンテナンスのため、一方をヒンジ４ｂ、４ｂで枢支されたフロントフレーム４ａで保持する表示パネル４を開閉する場合に、フロントフレーム４ａの他方の高さを調整して支持することができる。また適正荷重に高さを調整することが可能であるため、表示パネル４を保持するフロントフレーム４ａの一方を枢支するヒンジ４ｂ、４ｂにかかる荷重と、フロントフレーム４ａの他方を支持する支持脚にかかる荷重とを均等化することができ、扉状の表示パネル４をスムーズに開閉することができる。
したがって、実施の形態２に係る支持脚は、開閉時に扉状の表示パネル４を片持ち状態にすることがなく、表示パネル４を保持するフロントフレーム４ａを枢支するヒンジ４ｂ及びフロントフレーム４ａに歪みを生じないようにすることができる。
【００５１】
なお、実施の形態２では、上支柱１０、荷重検知体１６及び下支柱１２が、支持脚の支柱を構成しているが、荷重検知体１６を利用してフォースゲージを構成するようにしたため、上支柱１０と下支柱１２とに分割している。フォースゲージを構成せず、荷重検知体１６を利用しない場合には、上支柱及び下支柱を一体化した支柱にしてもよい。以下の実施の形態においても同様である。
【００５２】
（実施の形態３）
次に実施の形態３について説明する。
実施の形態２では、本発明の支持脚を取り付けるために、ボルト１５に螺合するナット９をフロントフレーム４ａの内側に設けた例を挙げたが、実施の形態３では別途に設けたＬ形金具にナットを固着しており、Ｌ形金具が支持脚と協動して、表示パネル４を保持するフロントフレーム４ａを支持するようにしたものである。
【００５３】
図８は実施の形態３に係る支持脚を表示パネルのフロントフレームの側部に取り付けた状態を示す斜視図、図９はＬ形金具の斜視図、図１０はＬ形金具に挟持用ボルトを螺着した状態を示す斜視図である。
実施の形態２の上支柱１０は縦長の角筒状であったが、実施の形態３の上支柱２０は縦長のチャンネル状であり、その他の構成は実施の形態２と同様であり、詳細な説明を適宜省略する。
【００５４】
実施の形態３に係るＬ形金具２２は、表示パネル４を保持するフロントフレーム４ａの奥行き方向の幅と略同寸法の幅を有するアングルであり、アングルの角部の両端部に、螺子孔２３ａ、２３ｂが形成されている。頭部を円盤状のツマミ２４ａ、２５ａに形成された挟持用ボルト２４、２５が、螺子孔２３ａ、２３ｂにそれぞれ螺合するようになっている。
【００５５】
フロントフレーム４ａの側部４ｃ下側の角部に合わせてＬ形金具２２を当接させ、挟持用ボルト２４、２５を螺子孔２３ａ、２３ｂにそれぞれ螺合させた場合、挟持用ボルト２４、２５のそれぞれのツマミ２４ａ、２５ａは、フロントフレーム４ａの側部側の角部の前後を挟持するようになっている。
Ｌ形金具２２は、一面をなす載置部２２ａと、これに垂直な他面をなす固定部２２ｂとからなり、載置部２２ａの突出方向と反対側の固定部２２ｂの表面の略中央部にナット２２ｃが固着されている。
【００５６】
このような構成の実施の形態３に係る支持脚では、先ず、表示装置が設置されている状態の場合、Ｌ形金具２２の載置部２２ａを略水平にし、固定部２２ｂを略垂直にしてフロントフレーム４ａの側部４ｃの下角部に合わせてＬ形金具２２を当接し、挟持用ボルト２４、２５でフロントフレーム４ａの側部側の下角部の前後を挟持する。
次に、表示パネル４の床面からの高さに応じて、上支柱２０の、例えば調整孔１１ｃからボルト１５を挿通した後、ボルト１５がＬ形金具２２のナット２２ｃに螺合する。ボルト１５がナット２２ｃに螺合したとき、支持脚がフロントフレーム４ａの側部４ｃに取り付けられる（高さの粗調整）。
【００５７】
次に、支持台１４を回したとき、下支柱１２の螺子孔１２ｃと支持台１４の螺子棒１４ｂとが、支持台１４のキャスタ１４ｃ、１４ｄが床面に接するまで、螺合していく。
次いで、支持台１４のキャスタ１４ｃ、１４ｄが床面に当接した場合、表示装置の扉状の表示パネル４を少し開けたとき、支持脚に表示パネル４による荷重がかかる。
なお、挟持用ボルト２４、２５でフロントフレーム４ａの側部側の角部の前後を完全に挟持できない場合、仮締めをして扉状の表示パネル４を少し開けた後に本締めをする。
【００５８】
そして、支持脚が適正荷重で表示パネル４を支持するように微調整部で微調整した後（高さの微調整）、扉状の表示パネル４を適当な位置まで開け、例えばランプユニット６のランプ６ｂを交換する。
ランプ６ｂの交換後、扉状の表示パネル４を閉めて、支持脚及びＬ形金具２２を順次取り外す。
【００５９】
このように実施の形態３に係る支持脚では、支持脚を取り付けるためのＬ形金具２２を別途備えているので、支持脚取り付け用の螺子孔又はナットを備えていない表示パネル４の場合でも、支持脚を取り付けて高さ調整をすることができる。その他の効果は実施の形態２と同様であるので省略する。
【００６０】
なお、実施の形態３の上支柱２０は、チャンネル状にしたが、リップチャンネル状にしてもよい。
【００６１】
（実施の形態４）
次に実施の形態４について説明する。
実施の形態４は、実施の形態２及び３における上支柱１０、２０の調整孔１１ａ・・１１ｄを縦方向に長い一個の長孔に代えるようにしたものである。実施の形態４のその他の構成及び作用効果は、実施の形態２及び３と同様であり、適宜詳細な説明を省略する。
【００６２】
図１１は実施の形態４に係る支持脚を表示パネルのフロントフレームの側部に取り付けた状態を示す斜視図である。
実施の形態４に係る支持脚は、縦長の角筒状の上支柱２６の正面の横方向の略中央部に、上縁近傍から下縁近傍までにわたって、縦長の長孔２６ａが正面側から背面側まで貫通して形成されており、ボルト１５が挿通可能になっている。
【００６３】
このような構成の実施の形態４に係る支持脚では、表示装置が設置されている状態の場合、表示パネル４の床面からの高さに応じて、上支柱２６の長孔２６ａの適宜の位置からボルト１５を挿通した後、フロントフレーム４ａの内側のナット９にボルト１５が螺合する。ボルト１５がナット９に螺合したとき、支持脚がフロントフレーム４ａの側部４ｃに取り付けられる（高さの粗調整）。
【００６４】
したがって、実施の形態４に係る支持脚は、表示パネル４の床面からの高さに応じた長孔２６ａの位置でボルト１５により取り付けることができ、支持脚で高さの粗調整を連続的にすることができる。
【００６５】
なお、実施の形態４では縦長の角筒状の上支柱２６にしたが、実施の形態３の上支柱２０のように、チャンネル状又はリップチャンネル状にしてもよい。
【００６６】
（実施の形態５）
次に実施の形態５について説明する。
実施の形態５では、支持台１４及び下支柱１２による高さの微調整部と、Ｌ形金具２２の構成は、実施の形態３と同様であるが、高さの粗調整部の構成が異なる。
図１２は実施の形態５に係る支持脚を表示パネルのフロントフレームの側部に取り付けた状態を示す部分断面図、図１３は支持脚の上外支柱の斜視図、図１４は支持脚の上内支柱の斜視図である。
実施の形態５に係る支持脚は、縦長の角筒状の上外支柱３０と、上外支柱３０に摺動自在に挿通した上内支柱３２と、柱状の荷重検知体１６を介して上内支柱３２に連結された下支柱１２と、下支柱１２を上面で支持する横長の直方体状の支持台１４とを備えている。
なお、実施の形態５では上外支柱３０及び上内支柱３２が、上支柱３３を構成している。
【００６７】
支持台１４の下端面には、二個のキャスタ１４ｃ、１４ｄがバランスよく回動自在に取り付けられている。上内支柱３２は上外支柱３０よりも縦寸法が長くなっており、上内支柱３２の下端部側は上外支柱３０の下端部側から一部突き出ている。
上内支柱３２及び下支柱１２が荷重検知体１６を固定する構造は、実施の形態２と同様の構成であり、また上内支柱３２の正面の下縁の略中央部に、縦長で矢印状の突起１０ａが下向きに形成されており、その他の構成は実施の形態２と同様であるため、詳細な説明は省略する。
【００６８】
支持脚の高さの粗調整部は、上外支柱３０の正面壁の横方向の略中央部に、鉛直方向に略等間隔で４個形成された調整孔３０ａ、３０ｂ、３０ｃ、３０ｄと、上外支柱３０内を摺動する上内支柱３２に設けられており、それぞれの調整孔３０ａ・・３０ｄに挿通して係止可能になっている係止ボタン３４とを備える。即ち、支持脚の高さの粗調整部は、表示パネル４の床面からの高さに応じて、適宜の調整孔３０ａ・・３０ｄに係止体をなす係止ボタン３４が挿通して係止することにより、支持脚で高さの粗調整ができるようになっている。
【００６９】
上外支柱３０の正面の上縁の近傍であって、調整孔３０ａの少し上方に、ボルト１９を挿通して支持脚を取り付けるための取付孔３１ａが、正面側から背面側まで貫通して形成されている。ボルト１９はＬ形金具２２のナット２２ｃに螺合するようになっている。
【００７０】
上内支柱３２には、係止ボタン３４を出没させる孔３２ａが、上外支柱３０の調整孔３０ａの周縁に対向して形成されている。係止ボタン３４は、円柱台状のストッパ部３４ａと、ストッパ部３４ａの略中央部で正面側に突出して形成された半球状の凸部３４ｂとを有し、ストッパ部３４ａの背面側に凹部３４ｃが形成されている。凹部３４ｃと対向する上内支柱３２の内壁に略同寸法の凹部３２ｂが形成されている。
【００７１】
係止ボタン３４はＵ字状のばね３６で付勢されており、ばね３６の両端はＵ字の外側に９０度屈曲した屈曲部３６ａ、３６ｂになっている。一方の屈曲部３６ａは係止ボタン３４の凹部３４ｃに嵌着しており、他方の屈曲部３６ｂは上内支柱３２内壁の凹部３２ｂに嵌着している。
ばね３６の付勢力により、係止ボタン３４の凸部３４ｂは孔３２ａから一部突き出ており、係止ボタン３４はストッパ部３４ａにより孔３２ａの周縁に係止されている。
【００７２】
このような構成の実施の形態５に係る支持脚では、先ず、表示装置が設置されている状態の場合、Ｌ形金具２２の載置部２２ａを略水平にし、固定部２２ｂを略垂直にしてフロントフレーム４ａの側部４ｃの下側の角部に合わせてＬ形金具２２を当接し、挟持用ボルト２４、２５でフロントフレーム４ａの側部側の角部の前後を挟持する。
次に上外支柱３０の取付孔３１ａからボルト１９を挿通した後、ボルト１９がＬ形金具２２のナット２２ｃに螺合し、支持脚がフロントフレーム４ａの側部４ｃに取り付けられる。
【００７３】
次いで、係止ボタン３４の凸部３４ｂを押圧して孔３２ａの奥へ押し込み、上内支柱３２が上外支柱３０に沿って摺動した場合（図１２の白抜き矢印Ｂを参照）、表示パネル４の床面からの高さに応じて、係止ボタン３４の凸部３４ｂが、ばね３６の付勢力により孔３２ａから上外支柱３０の、例えば調整孔３０ｂに嵌入し（図１２の点線で示す係止ボタン３４を参照）、孔３２ａ及び調整孔３０ｂの内周縁が係止ボタン３４を係止する（高さの粗調整）。
そして、支持台１４を回したとき、下支柱１２の螺子孔１２ｃと支持台１４の螺子棒１４ｂとが、支持台１４のキャスタ１４ｃ、１４ｄが床面に接するまで、螺合していく。
【００７４】
次いで、支持台１４のキャスタ１４ｃ、１４ｄが床面に当接した場合、表示装置の扉状の表示パネル４を少し開いたとき、支持脚に表示パネル４による荷重がかかる。支持脚に荷重がかかったとき、表示パネル４による荷重は上外支柱３０及び上内支柱３２を介して荷重検知体１６にかかり、荷重検知体１６が弾性変形し、間隙Ａが狭まり、上内支柱３２の突起１０ａが下側に移動する（図１２を参照）。突起１０ａの先端が示すスケール１２ｂの数値が、表示パネル４による荷重を示す（図８を参照）。
以下の作用（高さの微調整）は図８に示す実施の形態３と同様であるため、詳細な説明を省略する。
【００７５】
このように実施の形態５に係る支持脚は、上外支柱３０内を摺動する上内支柱３２の係止ボタン３４と、上外支柱３０の調整孔３０ａ・・３０ｄとからなる高さの粗調整部を備えているので、係止ボタン３４を押圧して上内支柱３２を摺動させることにより高さを粗調整することができる。
【００７６】
（実施の形態６）
次に実施の形態６について説明する。
実施の形態２から４に係る支持脚は、表示パネル４を保持するフロントフレーム４ａの外側に取り付けられていたが、実施の形態６に係る支持脚はフロントフレーム４ａの側部のフレームの内側に取り付けられるようにしたものである。
実施の形態６の支持脚は基本的には実施の形態３に係る支持脚と同様の構成であるが、ボルト１５と螺合するナット２１（図１５参照）が、上支柱２０の調整孔１１ａ・・１１ｄの周縁の内側に固着されている点が異なる。
【００７７】
図１５は実施の形態６に係る支持脚を表示パネルのフロントフレームの側部の内側に取り付けた状態を示す斜視図である。
実施の形態６に係る支持脚は、フロントフレーム４ａの側部４ｃの内側に取り付けられるが、側部４ｃは角筒状の収納筒になっており、側部４ｃの下端部に矩形状の開口部４ｈを有する。支持脚を側部４ｃ内に収納した場合、上支柱２０の調整孔１１ｄの周縁が、フロントフレーム４ａの孔４ｄの内側周縁に対向するようになっている。
実施の形態６に係る支持脚は、鉛直方向に縦長のチャンネル状の上支柱２０を備え、上支柱２０の正面壁の横方向の略中央部に、鉛直方向に略等間隔で調整孔１１ａ、１１ｂ、１１ｃ、１１ｄが形成されている。それぞれの調整孔１１ａ・・１１ｄの周縁で正面壁の裏側にナット２１ａ、２１ｂ、２１ｃ、２１ｄが固着されており、ボルト１５（図８を参照）が螺合するようになっている。
【００７８】
上支柱２０はフロントフレーム４ａの側部４ｃの内側を摺動可能になっており、上支柱２０の調整孔１１ａ・・１１ｄの周縁は、フロントフレーム４ａの側部４ｃの孔４ｄの内側の周縁と対向可能になっている。
実施の形態６に係る下支柱１２、上支柱２０と下支柱１２とを連結する荷重検知体１６の固定構造及び支持台１４は、実施の形態３と同様の構成であり、詳細な説明を省略する。
【００７９】
このような構成の実施の形態６に係る支持脚では、表示装置が設置されている状態の場合、支持脚の上支柱２０をフロントフレーム４ａの側部４ｃの内部に挿入する。表示パネル４の床面からの高さに応じて、上支柱２０の、例えば調整孔１１ｂに、フロントフレーム４ａの側部４ｃの孔４ｄからボルト１５を挿通した後、ボルト１５が上支柱２０のナット２１ｂに螺合する。ボルト１５がナット２１ｂに螺合したとき、支持脚がフロントフレーム４ａの側部４ｃの内部に取り付けられる（高さの粗調整）。
以下の作用（高さの微調整）は図８に示す実施の形態３と同様であるので、詳細な説明を省略する。
【００８０】
実施の形態６では、扉状の表示パネル４を閉めて支持脚を取り外したが、支持台１４のみを取り外した後、支持脚の上支柱２０及び下支柱１２をフロントフレーム４ａの側部４ｃの内部に収納するようにしてもよい。即ち、上支柱２０及び下支柱１２をフロントフレーム４ａの側部４ｃの内部に収納し、調整孔１１ｄをフロントフレーム４ａの孔４ｄに合わせた後、ボルト１５で調整孔１１ｄのナット２１ｄに螺合させるようにしてもよい。
【００８１】
このように実施の形態６に係る支持脚では、開閉時に扉状の表示パネル４を片持ち状態にすることがなく、例えば表示パネル４を保持するフロントフレーム４ａを枢支するヒンジ４ｂ及びフロントフレーム４ａに歪みを生じないようにすることができる。また支持脚の支持台１４を取り外した場合、上支柱２０及び下支柱１２をフロントフレーム４ａの側部４ｃに収納することができる。
【００８２】
（実施の形態７）
次に実施の形態７について説明する。
実施の形態６では支持台１４を取り外した支持脚をフロントフレーム４ａの側部４ｃの内部に収納した例を挙げたが、実施の形態７では支持台４０を含めた支持脚全体をフロントフレーム４ａの側部４ｃの下角部の下端部４ｅに収納するようにしたものである（図１６を参照）。
実施の形態７に係る支持脚は実施の形態６と同様の構成であるが、支持台４０の構成が実施の形態６の支持台１４と一部異なる（図１５、図１７を参照）。
【００８３】
図１６は実施の形態７に係る支持脚をフロントフレームの側部の内部に収納した状態を示す部分透視図、図１７は支持脚を表示パネルのフロントフレームの側部の内側に取り付けた状態を示す斜視図である。
実施の形態７に係る支持台４０は横長の直方体状をしており、支持台４０の上面の一端部側に四角柱状の台１４ａが形成されている。台１４ａの略中央部に、下支柱１２の螺子孔１２ｃと螺合する螺子棒１４ｂが形成されている。台１４ａが形成されている反対側の下端面の一方にキャスタ１４ｄが取り付けられており、下端面の他方にキャスタ１４ｃが回動自在に取り付けられている。
支持脚のその他の構成は実施の形態６と同様であるので、詳細な説明を省略する。
【００８４】
表示パネル４を保持するフロントフレーム４ａの側部４ｃは、支持脚の上支柱２０を収納する収納筒になっており、上支柱２０が外側から側部４ｃの収納筒に収納可能になっている。さらにフロントフレーム４ａの側部４ｃ側の下角部の下端部４ｅに、即ちフロントフレーム４ａの下枠角部に矩形状の開口部４ｆを有する箱状の収納部４ｇが、形成されており、支持台４０を外側から収納部４ｇに収納可能になっている。
キャスタ１４ｃ、１４ｄを取り付けた支持台４０を収納部４ｇに収納した場合、上支柱２０の調整孔１１ｄの周縁が、フロントフレーム４ａの孔４ｄの内側周縁に対向するようにしている。
【００８５】
このような構成の実施の形態７に係る支持脚では、表示装置が設置されている状態の場合、先ず、ボルト１５を取り外した後、支持脚の支持台４０、下支柱１２及び上支柱２０の一部をフロントフレーム４ａの側部４ｃから引き出す（図１６及び図１７を参照）。
次に表示パネル４の床面からの高さに応じて、上支柱２０の、例えば調整孔１１ｂに、フロントフレーム４ａの側部４ｃの孔４ｄからボルト１５を挿通した後、ボルト１５が上支柱２０のナット２１ｂに螺合する。ボルト１５がナット２１ｂに螺合したとき、支持脚がフロントフレーム４ａの側部４ｃの内部に取り付けられる（高さの粗調整）。
以下の作用（高さの微調整）は図８に示す実施の形態３と同様であるので、詳細な説明を省略する。
【００８６】
表示装置の扉状の表示パネル４を閉めた後、支持脚をフロントフレーム４ａの側部４ｃの下角部の収納部４ｇ内に収納する場合、フロントフレーム４ａの下角部に沿うまで支持台４０を回して、支持台４０を収納部４ｇ内に押し込む。支持台４０を収納部４ｇに押し込んだとき、上支柱２０の調整孔１１ｄの周縁が、フロントフレーム４ａの孔４ｄの内側周縁に対向し、孔４ｄ及び調整孔１１ｄにボルト１５を挿通して、ボルト１５がナット２１ｄに螺合する。ボルト１５がナット２１ｄに螺合したとき、支持脚がフロントフレーム４ａの側部４ｃ内に固定される（図１６を参照）。
【００８７】
このように実施の形態７に係る支持脚では、キャスタ１４ｃ、１４ｄ付きの支持台４０を含めた支持脚全体をフロントフレーム４ａの側部４ｃの内部及び下角部の収納部４ｇに収納することができる。
【００８８】
（実施の形態８）
次に実施の形態８について説明する。
図１８は実施の形態８に係る支持脚の一部をフロントフレームの側部の内部に収納した状態を示す部分透視図である。
実施の形態７では支持台４０にキャスタ１４ｃ、１４ｄを取り付けた状態でフロントフレーム４ａの側部４ｃの下角部の収納部４ｇ内に収納したが、実施の形態８では、支持台４０からキャスタ１４ｃ、１４ｄを取り外した状態で、フロントフレーム４ａの側部４ｃの下角部の収納部４ｇ内に収納するようにしたものである。
したがって、実施の形態８では、収納部４ｇをキャスタ１４ｃ、１４ｄの高さ分だけ低く形成することができる。
実施の形態８におけるその他の構成及び作用効果は、実施の形態７と同様であるので詳細な説明を省略する。
【００８９】
（実施の形態９）
次に実施の形態９について説明する。
図１９は実施の形態９に係る支持脚の一部をフロントフレームの側部の内部に収納した状態を示す部分透視図である。
実施の形態９に係る支持脚は、支持台を除き、実施の形態６と同様の構成である。実施の形態９の支持台４０は、実施の形態７の支持台４０と同様の構成である。
このような構成の実施の形態９に係る支持脚では、フロントフレーム４ａの側部４ｃの内側に支持脚を収納する場合、先ず、支持台４０からキャスタ１４ｃ、１４ｄを取り外した後、フロントフレーム４ａの下縁に沿うまで支持台４０を回して、支持台４０がフロントフレーム４ａの下縁に当接するまで、上支柱２０及び下支柱１２をフロントフレーム４ａの側部４ｃ内に押し込む。
【００９０】
上支柱２０及び下支柱１２を側部４ｃ内に押し込んだとき、上支柱２０の調整孔１１ｄの周縁が、フロントフレーム４ａの孔４ｄの内側周縁に対向する。孔４ｄ及び調整孔１１ｄにボルト１５を挿通した後、ボルト１５がナット２１ｄに螺合して支持脚をフロントフレーム４ａの側部４ｃ内に固定し、支持台４０が開口部４ｈを遮蔽する（図１９を参照）。
【００９１】
このように実施の形態９に係る支持脚では、上支柱２０及び下支柱１２をフロントフレーム４ａの側部４ｃの内部に収納し、支持台４０からキャスタ１４ｃ、１４ｄを取り外した状態でフロントフレーム４ａの下角部の下端に目立たないように収納することができる。また支持脚をフロントフレーム４ａの側部４ｃ内に収納したとき、支持台４０が側部４ｃの下端部の開口部４ｈを遮蔽することができる。
【００９２】
（実施の形態１０）
次に実施の形態１０について説明する。
図２０は実施の形態１０に係る支持脚をフロントフレームの側部の内部に収納した状態を示す部分透視図、図２１は支持脚を表示パネルのフロントフレームの側部の内側に固定した状態を示す斜視図である。
実施の形態１０に係る支持脚は、支持台を除き、実施の形態６と同様の構成である。
実施の形態１０の支持台４２は扁平な四角柱状をしており、支持台４２の上面の略中央部に下支柱１２の螺子孔１２ｃと螺合する螺子棒１４ｂが形成されている。支持台４２の下端面の略中央部にキャスタ１４ｅが一個取り付けられている。支持台４２は実施の形態６における台１４ａと略同形・同寸法にしている。
【００９３】
このような構成の実施の形態１０に係る支持脚では、高さの粗調整は実施の形態６同様であるので詳細な説明を省略する。
高さの微調整では、先ず、例えば上支柱２０を高くする方向に支持台４２を回して、下支柱１２の螺子孔１２ｃと支持台４２の螺子棒１４ｂとの螺合を緩めていき、上支柱２０の突起１０ａが、マーキングされた適正荷重を示す位置まで移動する（高さの微調整）。
次に、突起１０ａの先端が適正荷重を示したとき、支持台４２の回転を止める。
次いで、扉状の表示パネル４を適当な位置まで開け、例えばランプユニット６のランプ６ｂを交換する。
【００９４】
ランプ６ｂの交換後、表示装置の扉状の表示パネル４を閉めて、支持脚をフロントフレーム４ａの側部４ｃ内に押し込んだとき、上支柱２０の調整孔１１ｄの周縁が、フロントフレーム４ａの孔４ｄの内側周縁に対向し、孔４ｄ及び調整孔１１ｄにボルト１５を挿通して、ボルト１５がナット２１ｄに螺合して支持脚をフロントフレーム４ａの側部４ｃ内に固定する（図２０を参照）。
【００９５】
このように実施の形態１０に係る支持脚は、フロントフレーム４ａの側部４ｃの内部に収納することができる。
【００９６】
（実施の形態１１）
次に実施の形態１１について説明する。
実施の形態１０に係る支持脚では上支柱２０の調整孔１１ａ・・１１ｄの周縁にナット２１ａ・・２１ｄを固着していたが、実施の形態１１に係る支持脚では、ナット２１ａ、２１ｂ、２１ｃ、２１ｄを固着しておらず、ボルト１５を不要にした支持脚の取付構造を備えており、その他の構成は実施の形態１０と同様である。
【００９７】
図２２は実施の形態１１に係る支持脚を表示パネルのフロントフレームの側部の内側に固定した状態を示す斜視図、図２３は図２２のＸＸＩＩＩ−ＸＸＩＩＩ部分断面図、図２４は支持脚の上支柱を移動させた状態を示す図２２のＸＸＩＩＩ−ＸＸＩＩＩ部分断面図である。
実施の形態１１に係る支持脚は、フロントフレーム４ａの側部４ｃの内側に取り付けられるが、側部４ｃは角筒状をしており、側部４ｃの下端部に開口部４ｈを有する。
実施の形態１１では、支持脚を側部４ｃの内側に収納した場合、上支柱２０の調整孔１１ｄの周縁が、フロントフレーム４ａの孔４ｄの内側周縁に対向するようにしている。
【００９８】
支持脚の上支柱２０を側部４ｃに係止するための係止体をなす係止ボタン３４が、側部４ｃの内側からＵ字状のばね３６で調整孔１１及び孔４ｄに出没可能に付勢されている。
係止ボタン３４は、上支柱２０の内側の調整孔１１の周縁に当接可能な円柱台状のストッパ部３４ａと、ストッパ部３４ａの略中央部で正面側に調整孔１１及び孔４ｄから突出可能な半球状の凸部３４ｂとを有し、ストッパ部３４ａの背面側に凹部３４ｃが形成されている。凹部３４ｃと対向する側部４ｃの内壁に略同寸法の凹部４ｉが形成されている。
係止ボタン３４の凸部３４ｂは調整孔１１及び孔４ｄの周縁に係止可能になっている。
【００９９】
ばね３６の両端はＵ字の外側に９０度屈曲した屈曲部３６ａ、３６ｂになっている。一方の屈曲部３６ａは係止ボタン３４の凹部３４ｃに嵌着しており、他方の屈曲部３６ｂは側部４ｃ内壁の凹部４ｉに嵌着している。
【０１００】
このような構成の実施の形態１１に係る支持脚では、表示装置が設置されている状態の場合、先ず、フロントフレーム４ａの側部４ｃの孔４ｄから突出している係止ボタン３４の凸部３４ｂを押し込み（図２３の白抜き矢印Ｃを参照）、調整孔１１ｄ及び孔４ｄと係止ボタン３４との係止を解除し、支持脚の支持台４２、下支柱１２及び上支柱２０の一部をフロントフレーム４ａの側部４ｃから引き出す（図２２の白矢印Ｄを参照）。
【０１０１】
次に、フロントフレーム４ａの側部４ｃから支持脚を一部引き出したとき、上支柱２０及び下支柱１２の正面壁は、角筒状の側部４ｃ内壁面を摺動し、係止ボタン３４の凸部３４ｂが、ばね３６の付勢力により上支柱２０の裏面に摺接する（図２４の白抜き矢印Ｅを参照）。
【０１０２】
表示パネル４の床面からの高さに応じて、係止ボタン３４の凸部３４ｂが、ばね３６の付勢力により、上支柱２０の、例えば調整孔１１ｂ及びフロントフレーム４ａの孔４ｄに嵌り、係止ボタン３４の凸部３４ｂが孔４ｄから突出して上支柱２０を孔４ｄの周縁に係止する（高さの粗調整）。
【０１０３】
次いで、支持台４２のキャスタ１４ｅが、床面に接するまで支持台４２を回したとき、下支柱１２の螺子孔１２ｃと支持台１４の螺子棒１４ｂとが螺合して、支持台１４のキャスタ１４ｅが床面に当接する。
以下の作用の支持脚の高さの微調整は実施の形態１０と同様であるので詳細な説明を省略する。
【０１０４】
表示装置の扉状の表示パネル４を閉めた後、フロントフレーム４ａの側部４ｃの孔４ｄから突出している係止ボタン３４の凸部３４ｂを押し込み（図２３の白抜き矢印Ｃを参照）、調整孔１１ｂ及び孔４ｄと係止ボタン３４との係止を解除し、支持脚の支持台４２、下支柱１２及び上支柱２０をフロントフレーム４ａの側部４ｃの内部に押し込む。
支持脚を押し込んだとき、上支柱２０及び下支柱１２の正面壁は、角筒状の側部４ｃ内壁面を摺動し、係止ボタン３４の凸部３４ｂが、ばね３６の付勢力により上支柱２０の裏面に摺接する（図２４の白抜き矢印Ｅを参照）。
【０１０５】
上支柱２０が側部４ｃの内部を上方へ移動したとき、係止ボタン３４の凸部３４ｂが、ばね３６の付勢力により、上支柱２０の調整孔１１ｄ及びフロントフレーム４ａの孔４ｄに嵌り、係止ボタン３４の凸部３４ｂが孔４ｄから突出して上支柱２０を孔４ｄの周縁に係止し、支持脚の収納が終了する。
【０１０６】
このように実施の形態１１に係る支持脚は、フロントフレーム４ａの側部４ｃの内部に収納することができ、支持脚の固定にボルトが不要になる。
【０１０７】
以上説明したように、本発明の支持脚はキャスタ８ｃ、８ｄ、１４ｃ、１４ｄ、１４ｅを備える例を挙げたが、キャスタ８ｃ・・がなくても差し支えない。また本発明の支持脚は、表示装置の表示パネルの開閉時に取り付けて使用する例を挙げたが、表示パネルに限らず、例えば被支持体の自重の一部又は全部を支持する配電盤及び制御盤の操作パネル等の扉状のものであれば適宜使用することができる。また荷重検知体１６は上支柱１０、２０、２６及び上内支柱３２と下支柱１２との間に備えられているが、このような位置に限らず、荷重がかかる適宜の位置に備えることができる。
【図面の簡単な説明】
【０１０８】
【図１】実施の形態１に係る支持脚を表示装置の側部に取り付けた状態を示す正面図である。
【図２】支持脚を表示装置の側部に取り付けた状態を示す側面図である。
【図３】表示装置の扉状の表示パネルを開けた状態を示す斜視図である。
【図４】実施の形態２に係る支持脚を表示パネルのフロントフレームの側部に取り付けた状態を示す斜視図である。
【図５】支持脚の支持台を示す斜視図である。
【図６】支持脚の支柱を示す斜視図である。
【図７】図６のＶＩＩ−ＶＩＩ断面図である。
【図８】実施の形態３に係る支持脚を表示パネルのフロントフレームの側部に取り付けた状態を示す斜視図である。
【図９】Ｌ形金具の斜視図である。
【図１０】Ｌ形金具に挟持用ボルトを螺着した状態を示す斜視図である。
【図１１】実施の形態４に係る支持脚を表示パネルのフロントフレームの側部に取り付けた状態を示す斜視図である。
【図１２】実施の形態５に係る支持脚を表示パネルのフロントフレームの側部に取り付けた状態を示す部分断面図である。
【図１３】支持脚の上外支柱の斜視図である。
【図１４】支持脚の上内支柱の斜視図である。
【図１５】実施の形態６に係る支持脚を表示パネルのフロントフレームの側部の内側に取り付けた状態を示す斜視図である。
【図１６】実施の形態７に係る支持脚をフロントフレームの側部の内部に収納した状態を示す部分透視図である。
【図１７】支持脚を表示パネルのフロントフレームの側部の内側に取り付けた状態を示す斜視図である。
【図１８】実施の形態８に係る支持脚の一部をフロントフレームの側部の内部に収納した状態を示す部分透視図である。
【図１９】実施の形態９に係る支持脚の一部をフロントフレームの側部の内部に収納した状態を示す部分透視図である。
【図２０】実施の形態１０に係る支持脚をフロントフレームの側部の内部に収納した状態を示す部分透視図である。
【図２１】支持脚を表示パネルのフロントフレームの側部の内側に固定した状態を示す斜視図である。
【図２２】実施の形態１１に係る支持脚を表示パネルのフロントフレームの側部の内側に固定した状態を示す斜視図である。
【図２３】図２２のＸＸＩＩＩ−ＸＸＩＩＩ部分断面図である。
【図２４】支持脚の上支柱を移動させた状態を示す図２２のＸＸＩＩＩ−ＸＸＩＩＩ部分断面図である。
【符号の説明】
【０１０９】
３ａ、３ｂ、３ｃ、３ｄ、１１ａ、１１ｂ、１１ｃ、１１ｄ  調整孔
４ａ  フロントフレーム（フレーム）
８ｃ、８ｄ、１４ｃ、１４ｄ、１４ｅ  キャスタ
１０、２０、２６、３３  上支柱
１２  下支柱
１２ｂ  スケール（表示部）
１２ｃ  螺子孔（被螺合部）
１４ｂ  螺子棒（螺合部）
１６  荷重検知体
２６ａ  長孔
【図１】
2009300974.tif 000003
【図２】
2009300974.tif 000004
【図３】
2009300974.tif 000005
【図４】
2009300974.tif 000006
【図５】
2009300974.tif 000007
【図６】
2009300974.tif 000008
【図７】
2009300974.tif 000009
【図８】
2009300974.tif 000010
【図９】
2009300974.tif 000011
【図１０】
2009300974.tif 000012
【図１１】
2009300974.tif 000013
【図１２】
2009300974.tif 000014
【図１３】
2009300974.tif 000015
【図１４】
2009300974.tif 000016
【図１５】
2009300974.tif 000017
【図１６】
2009300974.tif 000018
【図１７】
2009300974.tif 000019
【図１８】
2009300974.tif 000020
【図１９】
2009300974.tif 000021
【図２０】
2009300974.tif 000022
【図２１】
2009300974.tif 000023
【図２２】
2009300974.tif 000024
【図２３】
2009300974.tif 000025
【図２４】
2009300974.tif 000026